(57)【要約】【課題】アルミ層を含まないシート蓋であって、開口時あるいは再封時における保形性に優れたものを提供する。【解決手段】剥離層を介して積層された内層２０および外層３０を含むシート蓋１０。開封フラップ３５を部分的に破り開けた場合に、内層２０に形成されるお湯の注ぎ口４０の幅寸法“Ｗ１”」よりも「外層３０の開封フラップ３５の幅寸法“Ｗ２”」の方が大きくなるように構成する。再封時には、「相対的に幅狭の注ぎ口４０」内に「幅広の開封フラップ３５」をこじ入れることとなり、「注ぎ口を規定する内層端縁」と「開封フラップの幅方向端縁」との間に圧接係合力が生じる。この圧接係合力によって、開封フラップ３５は、確実に再封状態に維持される。【選択図】図３
2008247439.tif 000002
【特許請求の範囲】
【請求項１】
カップ状容器の取出口を閉止するシート蓋（１０）であって、当該シート蓋は、剥離層を介して積層された内層（２０）および外層（３０）を含み、
内層（２０）は、湯の注ぎ口を規定する開口（４０）を備え、
外層（３０）は、上記開口（４０）を開閉可能な開封フラップ（３５）を備えており、
開封フラップ（３５）は、シート蓋の外周縁から内方に向かって延在する２つの切線（３２、３３）に挟まれていて、
当該２つの切線（３２、３３）は、シート蓋の外周縁から始まって、上記開口（４０）の端縁（２０ａ）よりもシート蓋外周縁寄りの領域を通過して延在していることを特徴とする、シート蓋。
【請求項２】
上記２つの切線（３２、３３）は、上記シート蓋外周縁寄りの領域を通過した後、互いに近づく方向に延在していることを特徴とする、請求項１記載のシート蓋。
【請求項３】
上記開口（４０）の周縁部が当該開口内へ突出して、引き剥がし用の突片（２９）を構成していることを特徴とする、請求項１または２記載のシート蓋。
【発明の詳細な説明】
【技術分野】
【０００１】
本発明は、カップラーメンやカップ焼きソバ等のインスタント食品に使用する包装容器の蓋材に関する。
【背景技術】
【０００２】
例えば、カップラーメンにおいては、まず、（１）カップ容器を塞ぐシート蓋を一部開口させて、そこから湯を注ぐ。次に、（２）シート蓋を閉じて、例えば３分間蒸らして、ラーメンが出来上がる。
【０００３】
上記（１）では、シート蓋は、部分的に上方に持ち上げられた開口状態を維持する必要がある。上記（２）では、シート蓋が平坦状となってカップ容器を塞ぐ再封状態を維持する必要がある。
このように、シート蓋には一定の保形性が要求される。
【０００４】
従来、シート蓋の積層構造中にアルミ層を含ませることで、上記の保形性を実現していた。しかし、シート蓋がアルミ層を含むと以下のような不都合がある。
（ａ）最終製品としてのカップラーメンに対して、金属探知機を利用した異物混入検査を行なうことが不可能となる。これは、アルミ層が金属探知機に反応するからである。
（ｂ）廃棄焼却の際に、アルミが焼却炉内に残り、焼却炉内壁等に付着する。
【０００５】
アルミ層を使うことなく、シート蓋の保形性を実現するための技術は、例えば、［特許文献１］、［特許文献２］に開示されている。
【０００６】
［特許文献１］の包装容器では、お湯を注ぐ開口を形成するための破断開封部の根元部分に、易湾曲帯状領域を設けて、開口状態での保形性を実現している。すなわち、易湾曲帯状領域においては、シート蓋にハーフカットによる切込みが入れられていて、これにより湾曲状態（開口状態）を維持できるように構成している。
［特許文献１］では、容器再封時のシート蓋の保形性については、特に考慮されていない。
【０００７】
［特許文献２］の包装容器では、成形性に優れたＰＢＴフィルム（ポリブチレンテレフタレート）等のカール性プラスチック層をシート蓋の積層構成中に含めて、開口時の保形性を維持している。一方、容器閉止時の保形性は、破り開けたシート蓋の端縁同士の「係合」を利用して実現している（明細書「００２６」等）。
［特許文献２］では、シート蓋の端縁同士の「係合」について詳しく説明されていないが、単に、一度破ったシート部材を元の位置に復帰させた場合における、破り取られた端縁同士の摩擦係合を利用したものと考えられ、再封時の保形性として、必ずしも十分であるとはいえない。
【０００８】
【特許文献１】特開２００２−１０４５１５号公報
【特許文献２】特開２００６−５２００４号公報
【発明の開示】
【発明が解決しようとする課題】
【０００９】
したがって、本発明の目的は、アルミ層を含まないシート蓋であって、開口時あるいは再封時における保形性に優れたものを提供することである。
【課題を解決するための手段】
【００１０】
本発明は、上記課題を有効に解決するために創案されたものであって、以下の特徴を備えた包装容器のシート蓋を提供する。
本発明のシート蓋は、カップ状容器の取出口を閉止するものであって、剥離層を介して積層された「内層」および「外層」を含む。
「内層」は、湯の注ぎ口を規定する開口を備える。「外層」は、上記開口を開閉可能な開封フラップを備える。
開封フラップは、シート蓋の外周縁から内方に向かって延在する２つの切線に挟まれていて、当該２つの切線は、シート蓋の外周縁から始まって、上記開口の端縁よりもシート蓋外周縁寄りの領域を通過して延在する。
【００１１】
２つの切線は、上記シート蓋外周縁寄りの領域を通過した後、互いに近づく方向に延在していることが好ましい。
【発明の効果】
【００１２】
上記構成を備えた本発明のシート蓋においては、開封フラップを部分的に破り開けた場合に、「内層に形成されるお湯の注ぎ口（開口）の幅寸法」よりも「外層の開封フラップの幅寸法」の方が大きくなる。したがって、再封時には、「相対的に幅狭の注ぎ口」内に「幅広の開封フラップ」をこじ入れることとなり、「注ぎ口を規定する内層端縁」と「開封フラップの幅方向端縁」との間に圧接係合力が生じる。この圧接係合力によって、開封フラップ３５は、確実に再封状態に維持される（すなわち、再封時における十分な保形性が得られる）。
【００１３】
さらに、開封フラップを挟む２つの切線がシート蓋外周縁寄りの領域を通過した後、互いに近づく方向に延在する場合には、開封フラップを部分的に破り開けた場合に、当該開封フラップの根元部に幅狭のネック部が形成されることとなる。
このような幅狭のネック部に開封フラップの全重量が作用するため、開封フラップは、その自重により、開封状態を良好に維持することができる（すなわち、開封時における保形性も十分なものとなる）。
【発明を実施するための最良の形態】
【００１４】
本発明の実施形態を添付の図面を参照して以下に詳細に説明する。図１は、本発明の一実施形態に係るシート蓋１０を説明する分離斜視図である。シート蓋１０は、内層２０と外層３０を積層してなり、容器本体５のフランジ部６に固定されて、取出口を閉止する。
図には明示していないが、内層２０と外層３０は、剥離層を介して積層し、図３（ａ）に示したように少なくとも部分的に剥離可能に構成する。
【００１５】
≪外層３０：図２（ａ）≫
外層３０は、湯の注ぎ口４０を形成する際に部分的に引き剥がす開封フラップ３５を有する。開封フラップ３５は、対向する２つの切線３２、３３に挟まれている。図３（ａ）に示したように、摘み部３１（および２１）を持って、開封フラップ３５を部分的に破り開けると、注ぎ口４０が現れる。
開封フラップ３５を挟む切線３２、３３は、これに沿って外層３０を破断させることができるものであれば、その構成は限定されない。例えば、外層３０の全幅を貫通するもの、途中まで切り込んだハーフカット、ミシン目等、適宜の構成を採用することができる。以後説明する全ての切線についても同様である。
切線３２、３３は、それぞれ、シート蓋１０の外周縁から内方に向かって延在しており、「直線部３２ａ、３３ａ」「傾斜部３２ｂ、３３ｂ」「円弧部３２ｃ、３３ｃ」で構成されている。
【００１６】
直線状の切線３７は、カップ焼きソバ等、湯切り孔が必要となる場合に、それを実現するために設けられたものである。詳しくは後述する。
【００１７】
≪内層２０：図２（ｂ）≫
内層２０は、外層３０と同様に、層全面がシート材で構成されている。すなわち、図２（ｂ）においてシート蓋の外周輪郭を示す太線の内部に描いた細線は、全て切線を示していて、開口部は存在しない（ただし、必ずしも、そのように構成する必要はない）。
図２（ｂ）において中央やや下よりに示した切線４０ｂは、注ぎ口４０の形状を規定している。すなわち、図３（ａ）に示したように開封フラップ３５を持ち上げるとき、切線４０ｂで囲まれたシート部分４０ａは、開封フラップ３５の裏面に接着したまま切り取られて、そこに注ぎ口４０が形成される。
なお、シート部分４０ａが内層２０側に残らずに、外層３０とともに除去されることを実現するためには、シート部分４０ａに対応する領域における剥離層の剥離強度を、その周辺の領域における剥離強度よりも強く（剥がれ難く）設定しておけばよい。これは、剥離層を部分的に間引いて剥離強度に差を設けたり、剥離層の種類を異ならせる等、一般的に知られた方法で行うことができる。
【００１８】
切線２２は、剥離開始切目であって、摘み部３１（および２１）を摘んで開封フラップ３５を持ち上げるとき、剥離開始切目２２の位置で内層２０と外層３０との剥離が開始される。
切線２２ａは、補助剥離開始切目である。すなわち、製造時における容器フランジ部６とシート蓋１０の位置ズレに起因して、剥離開始切目２２がフランジ部６の内方側に位置ズレして有効に機能しなくなった場合には、補助剥離開始切目２２ａが剥離開始切目として機能し、この位置から内層２０と外層３０との剥離が開始される。
【００１９】
円形の切線２４は、湯切り孔切目である。すなわち、カップ焼きソバに使用する包装容器等、湯切り孔が必要となる場合には、湯切り孔切目２４の内側の円形部分が除去され、そこに湯切り孔２５（図４）が現れる。図示の例では、摘み部３８（および２８）を摘んで、シート蓋１０を部分的に除去することで、湯切り孔２５が形成される。
剥離開始切目２６および補助剥離開始切目２６ａは、摘み部３８（および２８）を摘み上げる際に、上述した剥離開始切目２２および補助剥離開始切目２２ａと同じ機能を果たす。
【００２０】
≪使用方法≫
図３（ａ）では、シート蓋１０の開封フラップ３５を部分的に破り開けて、容器を一部開封した状態を示している。これにより、開口（注ぎ口）４０が現れる。開口４０から湯を注いだ後、図３（ｂ）に示したように、開封フラップ３５を再度閉じて、麺を蒸らす。
【００２１】
図示の具体例はインスタント焼きソバであるため、その後、摘み部３８（および２８）を持ち上げて、外層３０の切線３７よりも外側の部分を破り取る（除去する）。その際、内層２０はカップ容器本体側に残るが、湯切り孔切目２４の内側の円形部分は外層３０の裏面に付着したまま、外層３０とともに除去され、その結果、カップ容器本体側に残った内層２０には湯切り孔２５が形成される。この状態を図４に示した。
多数の湯切り孔２５のうちの１つ（湯切り孔２５ａ）は、容器フランジ部６にまで到達している。これにより、容器５を傾けて湯を切る場合における、湯切り効率を高めることができる。
なお、湯切り孔切目２４の内側の円形部分が内層２０側に残らずに、外層３０とともに除去されることを実現するために、注ぎ口４０を形成するためのシート部分４０ａの場合と同様に、剥離層を部分的に間引いて剥離強度に差を設けたり、剥離層の種類を異ならせる等する。
【００２２】
湯切りの後、最終的にシート蓋１０の全体を除去する。この最終的な除去を行い易くするために、２つの突片２９を設けている。すなわち、開口４０の周縁部が当該開口内へ突出して、引き剥がし用の突片２９を構成している（図３（ａ））。２つの突片２９の間には、切線２９ａを形成していて、これにより、内層２０を容易に分断することができる。
図示の例では、突片は半円形で２つ並んで存在するが、突片は、これを摘んでシート蓋１０全体を除去するのに都合のよいものであれば、適宜の形状を作用することができる。
【００２３】
≪開封時の保形性を実現するための構成≫
開封フラップ３５を破り開けるために設けた対向する２本の切線３２、３３は、シート蓋１０の外周縁から、まず内方に向かって直線状に、かつ互いに平行に延在する（直線部３２ａ、３３ａ）。次いで、両切線３２、３３は、屈曲して、互いに接近する方向に延在する（傾斜部３２ｂ、３３ｂ）。
このように、傾斜部３２ｂ、３３ｂが互いに接近する方向に延在しているため、開封フラップ３５を破り開けた状態においては、図３（ａ）に示したように、開封フラップ３５の根元部に、幅狭のネック部“Ｎ”が現れる。つまり、開封フラップ３５の重量が幅狭のネック部“Ｎ”に作用し、その結果、図３（ａ）の開封状態が維持される（保形性）。
このような幅狭のネック部が現れるような形態であれば、直線状の傾斜部３２ｂ、３３ｂである必要はなく、湾曲する等、適宜の形態を採用することが可能である。
【００２４】
≪再封時の保形性を実現するための構成≫
開封フラップ３５を挟む２つの切線３２、３３は、注ぎ口４０の縁部（最大幅部）よりもシート蓋外周縁寄りの領域を通過して延在している。この構成に起因した「注ぎ口４０の最大幅“Ｗ１”」と「開封フラップ３５の最大幅“Ｗ２”」の寸法差を利用して、再封時の保形性を実現している。なお、図３（ａ）において“Ｗ２”が開封フラップ３５の最大幅に等しいことは自明である。
図３（ａ）に示したように、注ぎ口４０の最大幅“Ｗ１”よりも、開封フラップ３５の最大幅“Ｗ２”の方が大きい。したがって、図３（ｂ）に示したように、開封フラップ３５を再封するときに、開封フラップ３５の最大幅部分を注ぎ口４０内に押し込むと、端縁同士が圧接することによる係合保持力が生まれ、これにより、再封状態が維持される（保形性）。
【００２５】
図５は、これを詳細に示す模式図であって、図３（ｂ）中の５−５線断面に対応する。図５（ａ）は未開封状態、図５（ｂ）は開封フラップ３５を破り開けた状態、図５（ｃ）は再封状態を、それぞれ示している。
図５（ａ）の未開封状態では、シート蓋１０全体が平坦なシート状である。「注ぎ口４０の最大幅“Ｗ１”」よりも「開封フラップ３５の最大幅“Ｗ２”」の方が大きいことが、図５（ａ）、（ｂ）から明確に理解できる。開封後、開封フラップ３５の最大幅部を注ぎ口４０内に押し込むということは、幅狭の開口（注ぎ口）４０に幅広の開封フラップ３５をこじ入れることを意味している。一方、シート蓋１０の外周縁は容器５のフランジ６に固定されているため、注ぎ口４０周辺の内層２０は側方へ退避することはない。結果として、図５（ｃ）中において、「内層２０の端縁２０ａ」と「開封フラップ３５の端縁３５ａ」との間には、圧接係合力が生じ、これにより、開封フラップ３５は再封状態に維持される（なお、端縁２０ａの位置は、図２（ｂ）において、切線４０ｂに対応している）。
このとき、シート蓋１０は、図５（ｃ）に示したように全体が撓むこととなる。
【００２６】
≪他の構成（注ぎ口）≫
図示の例では、「内層２０において切線４０ｂで囲まれた領域４０ａ」が外層３０と共に破り取られ、これにより内層２０に注ぎ口４０が形成される。しかし、領域４０ａを省略して、内層２０に最初から開口（注ぎ口）４０が形成されている構成であってもよい。
【００２７】
図示の例では、内層２０の全周が容器５のフランジ部６に固定されていて、開口（注ぎ口）４０は、内層２０の内部領域に（全周を包囲された）開口部として存在する。しかし、開口（注ぎ口）４０は、内層２０の外周縁から内部に延在する切欠きのように構成してもよい。
ただし、図示の実施形態のように、全周を包囲された開口部として注ぎ口４０を構成する方が、再封時における「係合力」が高く、したがって保形性が高いというメリットがある。
【００２８】
≪外層３０の切線３２、３３の他形態≫
図示の例では、切線３２、３３は、「直線部３２ａ、３３ａ」「傾斜部３２ｂ、３３ｂ」「円弧部３２ｃ、３３ｃ」の３つの部分から構成されているが、「傾斜部３２ｂ、３３ｂ」を省略して、「直線部３２ａ、３３ａ」の終端に「円弧部３２ｃ、３３ｃ」を連結した形態としてもよい。
【００２９】
≪シート蓋１０の積層構造≫
実施形態では、シート蓋１０は、剥離層を介して積層された内層２０および外層３０で構成されると説明した。しかし、内層２０および外層３０も、厳密にはさらなる積層構造を有していてもよい。要するに、大きく分けて「内層２０として機能する部分」と「外層３０として機能する部分」が存在し、両者が剥離可能に積層されていれば足りる。
具体的な積層構造は、本発明において特に限定されるものではないが、一例を下の表に示す。
【００３０】
【表１】
2008247439.tif 000003
【００３１】
以上に図示した実施形態では、包装容器はカップ焼きソバを収容するタイプのもので、再封により麺を蒸らした後、摘み部３８（および２８）を持って外層３０の切線３７よりも外側を破り取り、これにより現れる湯切り孔２５から湯を切って、最終的にシート蓋１０の全体を除去する。このような湯切り孔２５は、焼きソバ以外にも、調理過程で湯切りが必要となるパスタや生麺タイプのうどんの場合に採用される構成である。
しかし、シート蓋の開封時あるいは再封時における保形性に関する本発明は、通常のインスタントラーメン等、湯切り孔を備えないシート蓋に対して適用可能である。
【図面の簡単な説明】
【００３２】
【図１】本発明の一実施形態に係るシート蓋を説明する分離斜視図。
【図２】図１中に示した外層および内層を説明する図。
【図３】図１のシート蓋の使用方法を説明する図。
【図４】図１のシート蓋の使用方法を説明する図。
【図５】図１のシート蓋の再封時における圧接係合（保形性）を説明する図。
【符号の説明】
【００３３】
５  カップ状容器本体
６  フランジ部
１０  シート蓋
２０  内層
２０ａ  注ぎ口（開口）４０を規定する端縁
２１  摘み部
２２、２６  剥離開始切目
２２ａ、２６ａ  補助剥離開始切目
２４  湯切り孔切目
２５、２５ａ  湯切り孔
２８  摘み部
２９  突片
２９ａ  切線
３０  外層
３１  摘み部
３２、３３、３７  切線
３５  開封フラップ
３８  摘み部
４０  注ぎ口（開口）
４０ａ  切線４０ｂで囲まれたシート部分
４０ｂ  切線
【図１】
2008247439.tif 000004
【図２】
2008247439.tif 000005
【図３】
2008247439.tif 000006
【図４】
2008247439.tif 000007
【図５】
2008247439.tif 000008